(57)【要約】【課題】本発明は、例えばＵＳＢ３．１ｔｙｐｅＣ等の共用のコンタクト端子を有する多芯ケーブル用コネクタであって、共用のコンタクト端子間をはんだ接続等を利用せず容易に安定して接続できる多芯ケーブル用コネクタを提供することを目的とする。【解決手段】多芯ケーブル用コネクタ１００は、複数の信号線１１により構成される多芯ケーブル１０に接続され、多芯ケーブル１０を構成する複数の信号線１１のそれぞれに接続される複数のコンタクト端子１０７と、複数のコンタクト端子１０７を上下二段に並列に配列するインシュレータ１０５と、インシュレータ１０５の上下二段に並列に配列された複数のコンタクト端子１０７を上下に分ける位置に挿入される金属板１０８であって、金属板１０８に設けられた複数の内部接点１０８ａが幾つかのコンタクト端子１０７に接続され、接続された幾つかのコンタクト端子１０７が電気的に共用可能となる金属板１０８とを備える。【選択図】図９
2017135030.tif 000002
【特許請求の範囲】
【請求項１】
複数の信号線により構成される多芯ケーブルに接続される多芯ケーブル用コネクタであって、
前記多芯ケーブルを構成する前記複数の信号線のそれぞれに接続される複数のコンタクト端子と、
前記複数のコンタクト端子を上下二段に並列に配列するインシュレータと、
前記インシュレータの上下二段に並列に配列された前記複数のコンタクト端子を上下に分ける位置に挿入される金属板であって、前記金属板に設けられた複数の内部接点が前記上下二段に並列に配列された複数のコンタクト端子のうちの複数の第１のコンタクト端子群に接続され、接続された前記複数の第１のコンタクト端子群が共用可能となる金属板と
を備えることを特徴とする多芯ケーブル用コネクタ。
【請求項２】
前記インシュレータの外部を覆う内部金属シェルであって、前記内部金属シェルに設けられた複数の外部接点により前記上下二段に並列に配列された複数のコンタクト端子のうちの複数の第２のコンタクト端子群に接続され、接続された前記複数の第２のコンタクト端子群が共用可能となる内部金属シェルをさらに備えることを特徴とする請求項１に記載の多芯ケーブル用コネクタ。
【請求項３】
前記金属板は、密着曲げにより形成され、前記複数の内部接点は上下に向かい形成されることを特徴とする請求項１に記載の多芯ケーブル。
【請求項４】
前記複数の内部接点は、前記多芯ケーブルに対向する側に向かい延び、ばね性を有する板状の突起片であることを特徴とする請求項１に記載の多芯ケーブル。
【請求項５】
前記複数の外部接点は、前記多芯ケーブルに対向する側に向かい延び、ばね性を有する板状の突起片であることを特徴とする請求項２に記載の多芯ケーブル。
【発明の詳細な説明】
【技術分野】
【０００１】
本発明は、多芯ケーブル用コネクタに関し、特に複数の共用コンタクト端子を有する例えばＵＳＢ３．１ｔｙｐｅＣ等に使用される多芯ケーブル用コネクタに関する。
【背景技術】
【０００２】
情報技術の発達に伴い、パソコン、携帯電話、デジタルカメラ、音楽プレーヤ、カーエレクトロニクス、あるいは、その他の電子デバイスで使用されるコネクタについても、安定した形で信号伝送速度を高速化することが求められている。また、コンピュータ等の情報機器に周辺機器を接続するためのシリアルバス規格の１つであるＵＳＢ（Ｕｎｉｖｅｒｓａｌ  Ｓｅｒｉａｌ  Ｂｕｓ）規格も知られている。
【０００３】
ＵＳＢ規格は、最大転送速度の向上などを求めて何度か規格が拡張されており、これらは１．１から３．１まで上位互換であり、機能や性能が下位規格に縛られることを除けば、下位規格品と上位規格品を接続しても正しく動作することが求められている。最新のＵＳＢ３．１規格では、ＵＳＢ３．０のデータ転送速度５Ｇｂｐｓの「ＳＵＰＥＲ  ＳＰＥＥＤ（Ｇｅｎ  １）」モードに加えて、新たに最大転送速度１０Ｇｂｐｓを誇る「ＳＵＰＥＲ  ＳＰＥＥＤ  ＰＬＵＳ（Ｇｅｎ  ２）」モードが追加されている。また、ＵＳＢ３．１規格では、電気の最大出力が２０Ｖ×５Ａ（１００Ｗ）まで強化されており、これはＵＳＢ３．０の５Ｖ×９００ｍＡ（４．５Ｗ）と比較して約２２倍もの電源供給が可能であり、さらに以前のＵＳＢ２．０規格から比較すると約４０倍にもなり、飛躍的に電源供給能力が高くなっている。
【先行技術文献】
【特許文献】
【０００４】
【特許文献１】特許第５５７３９２８号明細書
【発明の概要】
【発明が解決しようとする課題】
【０００５】
ＵＳＢ３．１規格には、上下の向きが決まっており、サイズがやや大きいｔｙｐｅＡと、１２ピンが２列並列に並び、上下の向きが決まっておらず、逆向きに挿入しても機能するｔｙｐｅＣがある。ｔｙｐｅＣでは、上下逆向きに挿入しても同様に信号伝送を可能とする必要があるため、上下に共用のコンタクト端子が存在する。従来、このような共用のコンタクト端子間の接続では、プリント基板のパッドにケーブルをはんだ付けした後、パターンを分岐し、スルーホール等を介することにより共用のコンタクト間を接続すること等を行っていた。しかしながら、車載用コネクタの場合、はんだ付けによる接続では定量的な接続ができないという問題点があった。
【０００６】
また、特許文献１には、ツイストペアケーブルを利用した多芯ケーブル用の電気コネクタが記載されており、この電気コネクタでは、ツイストペアケーブルの撚り戻し部におけるインピーダンスの増加またはノイズ性能の低下を抑制できることが記載されているが、共用のコンタクト端子を接続する方法については記載されていない。
【０００７】
従って、本発明は、共用のコンタクト端子を有する例えばＵＳＢ３．１ｔｙｐｅＣ等に使用される多芯ケーブル用コネクタであって、共用のコンタクト端子間をはんだ接続等を利用せず容易に安定して接続できる多芯ケーブル用コネクタを提供することを目的とする。
【課題を解決するための手段】
【０００８】
上記課題を解決するために、本発明の多芯ケーブル用コネクタは、複数の信号線により構成される多芯ケーブルに接続される多芯ケーブル用コネクタであって、上記多芯ケーブルを構成する上記複数の信号線のそれぞれに接続される複数のコンタクト端子と、上記複数のコンタクト端子を上下二段に並列に配列するインシュレータと、上記インシュレータの上下二段に並列に配列された上記複数のコンタクト端子を上下に分ける位置に挿入される金属板であって、上記金属板に設けられた複数の内部接点が上記上下二段に並列に配列された複数のコンタクト端子のうちの複数の第１のコンタクト端子群に接続され、接続された上記複数の第１のコンタクト端子群が共用可能となる金属板とを備えることを特徴とする。
【０００９】
また、上記インシュレータの外部を覆う内部金属シェルであって、上記内部金属シェルに設けられた複数の外部接点により上記上下二段に並列に配列された複数のコンタクト端子のうちの複数の第２のコンタクト端子群に接続され、接続された上記複数の第２のコンタクト端子群が共用可能となる内部金属シェルをさらに備えるものとしてもよい。
【００１０】
また、上記金属板は、密着曲げにより形成され、上記複数の内部接点は上下に向かい形成されるものとしてもよい。
【００１１】
また、上記複数の内部接点は、上記多芯ケーブルに対向する側に向かい延び、ばね性を有する板状の突起片であるものとしてもよい。
【００１２】
また、上記複数の外部接点は、上記多芯ケーブルに対向する側に向かい延び、ばね性を有する板状の突起片であるものとしてもよい。
【発明の効果】
【００１３】
本発明によれば、共用のコンタクト端子を有する例えばＵＳＢ３．１ｔｙｐｅＣ等に使用される多芯ケーブル用コネクタであって、共用のコンタクト端子間をはんだ接続等を利用せず容易に安定して接続できる多芯ケーブル用コネクタを提供することができる。
【図面の簡単な説明】
【００１４】
【図１】本発明の高速信号伝送用コネクタと、レセプタクルが嵌合した状態を示す斜視図である。
【図２】本発明の高速信号伝送用コネクタの斜視図である。
【図３】図２に示す高速信号伝送用コネクタのモールドカバーを取り外した状態を示す斜視図である。
【図４】図３に示す高速信号伝送用コネクタの外部金属シェルを取り外した状態を示す斜視図である。
【図５】図４に示す高速信号伝送用コネクタの内部金属シェルを取り外した状態を示す斜視図である。
【図６】図５に示す高速信号伝送用コネクタのケーブル収納部を取り外した状態を示す斜視図である。
【図７】図７（ａ）は、本発明の高速信号伝送用コネクタの内部金属シェルを示す斜視図であり、図７（ｂ）は、本発明の高速信号伝送用コネクタのケーブル収納部を示す斜視図である。
【図８】図８（ａ）は、本発明の高速信号伝送用コネクタのコンタクト端子を示す図であり、図８（ｂ）は、本発明の高速信号伝送用コネクタの金属板を示す図である。
【図９】図９（ａ）は、複数のコンタクト端子、金属板、内部金属シェルが組み込まれたインシュレータの斜視図であり、図９（ｂ）は、図９（ａ）に示すＩＸｂ−ＩＸｂ線に沿った断面図であり、図９（ｃ）は、図９（ａ）に示すＩＸｃ−ＩＸｃ線に沿った断面図である。
【図１０】ＵＳＢ３．１ｔｙｐｅＣのピン配列を示す図である。
【図１１】図１１（ａ）は、本発明の高速信号伝送用コネクタの金属板の別の例を示す図であり、図１１（ｂ）は、複数のコンタクト端子、別の金属板、内部金属シェルが組み込まれたインシュレータの上面図であり、図１１（ｃ）は、図１１（ｂ）に示すＸＩｃ−ＸＩｃ線に沿った断面図であり、図１１（ｄ）は、図１１（ｂ）に示すＸＩｄ−ＸＩｄ線に沿った断面図である。
【発明を実施するための形態】
【００１５】
以下、本発明の実施形態を、図面を参照して説明する。
【００１６】
尚、以下の説明における上下方向の概念は、添付の図面における上下に対応しており、各部材の相対的な位置関係を示すものであって、絶対的な位置関係を示すものではない。また、以下の説明において、便宜的にコネクタの挿入方向を「先端」と示し、コネクタの挿入方向の逆方向を「後端」と示し、左右方向とは、コネクタの挿入方向に対し直交する方向を「左右」を示すこととするが、絶対的な位置関係を示すものではない。
【００１７】
図１は、本発明の高速信号伝送用コネクタ１００と、レセプタクル２００が嵌合した状態を示す斜視図である。
【００１８】
図１において、本発明の高速信号伝送用コネクタ１００は、実装基板１に実装されたレセプタクル２００に挿抜可能に嵌合される。なお、ここでは説明の都合上、プラグ側コネクタをコネクタと称し、レセプタクル側コネクタをレセプタクルと称する。レセプタクル２００は、複数の金属製のレセプタクルコンタクト端子２０１、絶縁材で形成されレセプタクルコンタクト端子２０１を配列するレセプタクルインシュレータ２０２、及び、レセプタクルインシュレータ２０２の周囲を覆い金属材料で形成されるレセプタクルシェル２０３等から構成されるが、詳細な説明は省略する。
【００１９】
図２は、本発明の高速信号伝送用コネクタ１００の斜視図である。
【００２０】
図２において、本発明の高速信号伝送用コネクタ１００は、ＵＳＢ３．１ケーブル等の高速信号伝送用の多芯ケーブル１０に接続されるコネクタである。なお、本実施形態では、高速信号伝送用コネクタ１００をＵＳＢ３．１ｔｙｐｅＣ規格に適用するように上下２段に１２ピンずつ並列に配列したピン配列のコネクタに適用した例を説明するが、高速信号伝送でなくても共用可能コンタクトピンを有する多芯ケーブルに使用される多芯ケーブル用コネクタであれば、これには限定されない。また、本実施形態のＵＳＢ３．１ｔｙｐｅＣ用の高速信号伝送用コネクタ１００のピン配列は、図２に示すように下側中央２箇所にコンタクト端子１０７が配置されていない部分があるが、これは車載用を想定しており車載用では逆差しを許容しない規格であるためであるが、これには限定されない。
【００２１】
高速信号伝送用コネクタ１００は、図２に示すように外部がモールドカバー１０１により覆われている。モールドカバー１０１は、例えば樹脂等の絶縁材により形成され、後述する外部金属シェル１０２の外側に固定される。また、モールドカバー１０１の図２に示す上面側には、ロック機構１０１ａが設けられており、これにより高速信号伝送用コネクタ１００はレセプタクル２００に挿抜可能に嵌合される。
【００２２】
図３は、図２に示す高速信号伝送用コネクタ１００のモールドカバー１０１を取り外した状態を示す斜視図である。
【００２３】
図３において、モールドカバー１０１の内側には、外部金属シェル１０２が配置されている。外部金属シェル１０２は、例えばステンレス等の金属材料で形成され、コネクタ外部に放射されるノイズ、あるいは、コネクタ内部に侵入するノイズを抑制するために、後述する内部金属シェル１０３が配置された後にその外側に固定される。外部金属シェル１０２は、後述する内部金属シェル１０３、ケーブル収納部１０４、及び、インシュレータ１０５等を内部に収容するために略箱型の形状を有しており、後端側には、多芯ケーブル１０の被覆１３の周囲に折り返された編込線１２を圧着して電気的に接続するためのＧＮＤ固定部１０２ａが形成される。
【００２４】
多芯ケーブル１０は、複数の信号線１１を編込線１２で覆い、編込線１２を被覆１３で覆うことにより構成される。複数の信号線１１としては、一般的に、芯線１１ａが被覆１１ｂで覆われた高速伝送用のツイストペアケーブル等が使用できるが、ＵＳＢ３．１では、最大転送速度１０Ｇｂｐｓの「ＳＵＰＥＲ  ＳＰＥＥＤ  ＰＬＵＳ（Ｇｅｎ  ２）」モードを達成する必要があり、高速伝送用の信号線には、芯線１４ａが絶縁材１４ｂを介してシールド線１４ｃで覆われ、その周囲に被覆１４ｄが設けられた同軸線１４を使用することもできる。
【００２５】
また、外部金属シェル１０２の先端側の上部には、上方に向かい９０度折れ曲がり長方形状を有するモールドカバー保持部１０２ｂが形成される。モールドカバー保持部１０２ｂは、後端側から挿入されたモールドカバー１０１の先端側から保持する。
【００２６】
また、外部金属シェル１０２には、図３に示す上面および下面の中央付近に２箇所ずつ略箱形状の外部金属シェル１０２の内側に折れ曲がりばね性を有し例えば長方形状を有する４カ所の接触片１０２ｃが設けられている。４カ所の接触片１０２ｃは、そのばね性により、後述する複数の同軸線１４の周囲に設けられ、同軸線１４の被覆１４ｄの周囲に折り返されるか、または、被覆１４ｄをストリップして、その下から顕れたシールド線１４ｃに接続された複数の金属筒１０６に接触される。金属筒１０６が外部金属シェル１０２の接触片１０２ｃと接触されることにより、ＧＮＤ接続が強固となり、高周波ノイズの放射と侵入のさらなる抑制が見込まれる。なお、ここでは、接触片１０２ｃが４ヶ所の長方形状に設けられるものとしたが、この数、この形状には限定されない。
【００２７】
図４は、図３に示す高速信号伝送用コネクタ１００の外部金属シェル１０２を取り外した状態を示す斜視図である。
【００２８】
図４において、外部金属シェル１０２の内側には、ステンレス等の金属材料で形成された内部金属シェル１０３と、ケーブル収納部１０４が配置される。内部金属シェル１０３は、後述する複数のコンタクト端子１０７が挿入されて固定されたインシュレータ１０５の外側に固定され、複数のコンタクト端子１０７の周辺のノイズの放射と侵入を抑制する。内部金属シェル１０３には、複数のコンタクト端子１０７のうちの幾つかに電気的に接触するための複数の外部接点１０３ａが設けられるが、詳細な説明は図７（ａ）を使用して後述する。
【００２９】
図５は、図４に示す高速信号伝送用コネクタ１００の内部金属シェル１０３を取り外した状態を示す斜視図である。
【００３０】
図５において、内部金属シェル１０３の内側には、インシュレータ１０５が配置され、その後端側にはケーブル収納部１０４が配置される。ケーブル収納部１０４は、ダイキャスト等の導電性の材料で形成され、ＵＳＢ３．１で規定される最大転送速度１０Ｇｂｐｓを達成するために問題となる高速信号伝送時における高周波のインピーダンス特性、及びノイズ性能の低下を抑制するために設けられる。ケーブル収納部１０４を設けることにより、後述する図１０に示す効果がある。ケーブル収納部１０４の形状は、後述する図７（ｂ）に示されるが、詳細な説明は後述する。
【００３１】
図６は、図５に示す高速信号伝送用コネクタ１００のケーブル収納部１０４を取り外した状態を示す斜視図である。
【００３２】
図６において、インシュレータ１０５は、樹脂等の絶縁材料で形成され、多芯ケーブル１０の複数の信号線１１の芯線１１ａ、及び、同軸線１４の芯線１４ａに接続された複数のコンタクト端子１０７が挿入され、固定される。高速伝送用の信号線である複数の同軸線１４の周囲には、真鍮やステンレスなどの金属材料で形成された複数の金属筒１０６が設けられる。金属筒１０６は、圧着前にＵ字形状に形成され、同軸線１４の周囲に嵌め込まれた後、被覆１４ｄの下から顕れたシールド線１４ｃに圧着され、筒形状に形成されるか、同軸線１４の被覆１４ｄの下から顕れたシールド線１４ｃにはんだ付けすること等により電気的に接続される。金属筒１０６を設けることにより、高速信号伝送時に問題となる高周波伝送時のインピーダンス特性、及びノイズ性能の低下を抑制する効果がある。
【００３３】
インシュレータ１０５の１２ピンを上下二段に並列に配列された複数のコンタクト端子１０７を上下に分ける位置には、ステンレス等の金属材料で形成された金属板１０８が挿入される。金属板１０８には、後述する図８（ｂ）に示されるように複数のコンタクト端子１０７のうちの幾つかに電気的に接触するための複数の内部接点１０８ａが設けられるが、詳細な説明は後述する。
【００３４】
図７（ａ）は、本発明の高速信号伝送用コネクタ１００の内部金属シェル１０３を示す斜視図であり、図７（ｂ）は、本発明の高速信号伝送用コネクタ１００のケーブル収納部１０４を示す斜視図である。
【００３５】
図７（ａ）において、内部金属シェル１０３は、ステンレス等の金属材料で形成され、複数のコンタクト端子１０７のうちの幾つかに電気的に接触するための複数の外部接点１０３ａを備える。複数の外部接点１０３ａに接続された幾つかのコンタクト端子１０７は、電気的に共用可能となる。これにより、はんだ付け等の定量的でない接続を避けることができ、容易に安定したコンタクト端子１０７間の接続を実現できる。なお、多芯ケーブル１０の信号線１１、及び、同軸線１４は、共用可能となった幾つかのコンタクト端子１０７のうちの１つに接続すればよい。また、本実施形態では、図１０に示すＵＳＢ３．１ｔｙｐｅＣのピン配列表に準拠し、上下二段に１２ピンずつ並列に配列された各段の両端に配列されたＡ１、Ａ１２、Ｂ１、及び、Ｂ１４の４本のＧＮＤピンを共用可能に接続し、これら４本のピンに対応する位置に複数の外部接点１０３ａが設けられるが、これらの位置、あるいは、本数には限定されない。また、複数の外部接点１０３ａが先端側に向かい延び、ばね性を有する板状の突起片であるものとしたがこれには限定されず、複数のコンタクト端子１０７に電気的に接触できる形状であればよい。
【００３６】
図７（ｂ）において、ケーブル収納部１０４は、ダイキャスト等の導電性の材料で形成される。ケーブル収納部１０４には、複数の溝１０４ａが形成され、インシュレータ１０５に挿入された複数のコンタクト端子１０７に接続された多芯ケーブル１０の複数の信号線１１、及び、同軸線１４がインシュレータ１０５の後端側において配列される形状に形成される。なお、ここでは、ＵＳＢ３．１ｔｙｐｅＣのピン配列表に準拠し、上下二段に１２ピンずつ並列に配列されたピン配列に適合するように複数の溝１０４ａが形成されるものとしたが、これには限定されず、多芯ケーブル１０に含まれる複数の信号線１１、あるいは、同軸線１４の本数に合わせて複数の溝１０４ａが形成されればよい。また、ここではケーブル収納部１０４の材料として軽量化のためにダイキャストを使用するものとしたが、これには限定されずコネクタ内部のうち複数のコンタクト端子１０７の後端側の部分を導電性の材料で埋めることができれば、これには限定されない。また、後述する図１１に示すように、高速伝送用の信号線として使用される同軸線１４の周辺にのみ、ケーブル収納部１０４を配置するものとしてもよい。
【００３７】
図８（ａ）は、本発明の高速信号伝送用コネクタ１００のコンタクト端子１０７を示す図であり、図８（ｂ）は、本発明の高速信号伝送用コネクタの金属板１０８を示す図である。
【００３８】
図８（ａ）において、コンタクト端子１０７は、銅等の金属で形成され、コネクタ嵌合時にレセプタクルコンタクト端子２０１と接触する略四角柱形状のコンタクト部１０７ａと、多芯ケーブル１０の信号線１１の芯線１１ａ、及び、同軸線１４の芯線１４ａを圧着により固定する圧着部１０７ｂと、信号線１１の被覆１１ｂ、及び、同軸線１４の絶縁材１４ｂを固定する固定部１０７ｃとを備える。なお、上述のように共用可能とされる幾つかのコンタクト端子１０７には、内部金属シェル１０３、あるいは、金属板１０８が接触されるため、多芯ケーブル１０の信号線１１、及び、同軸線１４のうちの１本が接続されればよい。
【００３９】
図８（ｂ）において、金属板１０８は、ステンレス等の金属材料で形成され、複数のコンタクト端子１０７のうちの幾つかに電気的に接触するための複数の内部接点１０８ａを備える。複数の内部接点１０８ａに接続された幾つかのコンタクト端子１０７は、電気的に共用可能となる。これにより、はんだ付け等の定量的でない接続を避けることができ、容易に安定したコンタクト端子１０７間の接続を実現できる。なお、多芯ケーブル１０の信号線１１、及び、同軸線１４は、共用可能となった幾つかのコンタクト端子１０７のうちの１つに接続すればよい。また、本実施形態では、図１０に示すＵＳＢ３．１ｔｙｐｅＣのピン配列表に準拠し、上下二段に１２ピンずつ並列に配列された各段の４番目と９番目に配列されたＡ４、Ａ９、Ｂ４、及び、Ｂ９の４本のＶＢＵＳピンを共用可能に接続し、これら４本のピンに対応する位置に複数の内部接点１０８ａが設けられるが、これらの位置、あるいは、本数には限定されない。また、本実施形態では、金属板１０８が金属材料を折り曲げて２枚密着曲げに形成され上下に複数の内部接点１０８ａを設けるものとしたが、これには限定されない。また複数の内部接点１０８ａが後端側に向かい延び、ばね性を有する板状の突起片であるものとしたがこれには限定されず、複数のコンタクト端子１０７に電気的に接触できる形状であればよい。
【００４０】
図９（ａ）は、複数のコンタクト端子１０７、金属板１０８、内部金属シェル１０３が組み込まれたインシュレータ１０５の斜視図であり、図９（ｂ）は、図９（ａ）に示すＩＸｂ−ＩＸｂ線に沿った断面図であり、図９（ｃ）は、図９（ａ）に示すＩＸｃ−ＩＸｃ線に沿った断面図である。
【００４１】
上述したように、図９（ｂ）において、金属板１０８に設けられた複数の内部接点１０８ａは、複数のコンタクト端子１０７の幾つかに電気的に接触され、接触された幾つかのコンタクト端子１０７が電気的に共用可能となる。同様に、図９（ｃ）において、内部金属シェル１０３に設けられた複数の外部接点１０３ａは、複数のコンタクト端子１０７の幾つかに電気的に接触され、接触された幾つかのコンタクト端子１０７が電気的に共用可能となる。
【００４２】
図１０は、ＵＳＢ３．１ｔｙｐｅＣのピン配列を示す図である。
【００４３】
図１０において、上述のように、ＵＳＢ３．１ｔｙｐｅＣ用のコネクタでは、上下逆向きに挿入しても同様に信号伝送を可能とする必要があるため、Ａ１乃至Ａ１２と、Ｂ１乃至Ｂ１２は、上下に配置された共用のコンタクト端子となっている。上述のように、Ａ１、Ａ１２、Ｂ１、及び、Ｂ１４の４本のＧＮＤピンは、内部金属シェル１０３により共用可能に接続され、Ａ４、Ａ９、Ｂ４、及び、Ｂ９の４本のＶＢＵＳピンは、金属板１０８により共用可能に接続される。なお、Ａ２、Ａ３、Ａ１０、Ａ１１、Ｂ２、Ｂ３、Ｂ１０、及び、Ｂ１１は高速信号伝送用の端子であり、本実施形態では、同軸線１４が接続される。また、Ａ６、Ａ７、Ｂ６、及び、Ｂ７は、ＵＳＢ２．０と共用のピンであり、高速信号伝送の必要はなく、本実施形態では、同軸線１４ではない通常の信号線１１が接続される。
【００４４】
図１１（ａ）は、本発明の高速信号伝送用コネクタの金属板の別の例１０８Ａを示す図であり、図１１（ｂ）は、複数のコンタクト端子１０７Ａ、金属板１０８Ａ、内部金属シェル１０３Ａが組み込まれたインシュレータ１０５Ａの上面図であり、図１１（ｃ）は、図１１（ｂ）に示すＸＩｃ−ＸＩｃ線に沿った断面図であり、図１１（ｄ）は、図１１（ｂ）に示すＸＩｄ−ＸＩｄ線に沿った断面図である。
【００４５】
図１１（ａ）乃至図１１（ｄ）に示すように、金属板１０８Ａは、先端側に向かい延び、ばね性を有する板状の突起片である複数の内部接点１０８Ａａを有する。このような形状の複数の内部接点１０８Ａａを設けることによっても、図８（ｂ）に示す金属板１０８と同様の効果が得られる。なお、図８（ｂ）に金属板１０８、及び、図１１（ａ）乃至図１１（ｄ）に金属板１０８Ａをそれぞれ示したが、金属板の形状は、これらの形状には限定されない。
【００４６】
以上のように本発明の多芯ケーブル用コネクタによれば、共用のコンタクト端子を有する例えばＵＳＢ３．１ｔｙｐｅＣ等に使用される多芯ケーブル用コネクタにおいて、共用のコンタクト端子間をはんだ接続等を利用せず容易に安定して接続することができる。
【符号の説明】
【００４７】
１  実装基板
１０  多芯ケーブル
１１  信号線
１１ａ、１４ａ  芯線
１１ｂ、１３、１４ｄ  被覆
１２  編込線
１４  同軸線
１４ｂ  絶縁材
１４ｃ  シールド線
１００  高速信号伝送用コネクタ
１０１  モールドカバー
１０２  外部金属シェル
１０３、１０３Ａ  内部金属シェル
１０３ａ、１０３Ａａ  外部接点
１０４、１０４Ａ  ケーブル収納部
１０５、１０５Ａ  インシュレータ
１０６  金属筒
１０７、１０７Ａ  コンタクト端子
１０８、１０８Ａ  金属板
１０８ａ、１０８Ａａ  内部接点
２００  レセプタクル
２０１  レセプタクルコンタクト端子
２０２  レセプタクルインシュレータ
２０３  レセプタクルシェル
【図１】
2017135030.tif 000003
【図２】
2017135030.tif 000004
【図３】
2017135030.tif 000005
【図４】
2017135030.tif 000006
【図５】
2017135030.tif 000007
【図６】
2017135030.tif 000008
【図７】
2017135030.tif 000009
【図８】
2017135030.tif 000010
【図９】
2017135030.tif 000011
【図１０】
2017135030.tif 000012
【図１１】
2017135030.tif 000013